(57)【特許請求の範囲】
【請求項１】
コーナー部に配置される、引出し本体を備えたコーナー用キャビネットにおいて、前記引出し本体が引出される方向に延設される天板と、前記引出し本体の底部に手前側よりも高い段部を備えたことを特徴とするコーナー用キャビネット。
【請求項２】
コーナー部に配置される、引出し本体を備えたコーナー用キャビネットにおいて、前記引出し本体が引出される方向に延設される天板と、前記引出し本体の前板とを備え、前記前板の高さが手前側よりも奥側が高い前板を備えることを特徴とするコーナー用キャビネット。
【請求項３】
コーナー部に配置される複数の引出し本体を備えたコーナー用キャビネットにおいて、前記引出し本体が引出される方向に延設される天板と、前記引出し本体の底部に手前側よりも高い段部を備えた上部引出しと、前記引出し本体の前板とを備え、前記前板の高さが手前側よりも奥側が高い前板を備える下部引出しとを備えることを特徴とするコーナー用キャビネット。
【請求項４】
請求項１乃至３いずれか１項に記載のコーナー用キャビネットと、前記コーナー用キャビネットの引出し本体が収納される収納部に隣接する第２キャビネットを備えることを特徴とするキャビネットユニット。
【発明の詳細な説明】
【技術分野】
【０００１】
本発明は、台所のコーナーに設置されるコーナー用キャビネットである。また、前記コーナー用キャビネットと、その収納部に隣接する第２キャビネットからなるキャビネットユニットの構造に関する発明である。
【背景技術】
【０００２】
従来のコーナーに設置されるコーナー用キャビネットで、引出し本体が収納される収納部とその横に延設される天板と側板で構成されるオープン部をもつキャビネットがある。（例えば、特許文献１参照。）。 前記の引出しは通常の内引出しと同じく、浅型の引出しとなっている。このような場合、収納出来るものの高さに制限ができるという問題があった。
また、ただ単に収納空間があるのみであり、収納物の整理しやすさなどになんら工夫点はなかった。
【０００３】
同じような構造をもつその他の従来例もある。（例えば、特許文献２参照。）。しかし、この場合も前記と同じ問題があった。 
【特許文献１】特開２０００−３０８５３４号公報（第１図）
【特許文献２】特開２００４−３２９４７６号公報（第１図）
【発明の開示】
【発明が解決しようとする課題】
【０００４】
本発明は、上記問題を解決するためになされたもので、本発明の課題は、コーナー部の引出しの収納を効率良く行うことにあり、とくに背の高い収納物を効率よく整理して収納できることである。
【課題を解決するための手段】
【０００５】
上記目的を達成するために請求項１記載の発明によれば、コーナー部に配置される、引出し本体を備えたコーナー用キャビネットにおいて、前記引出し本体が引出される方向に延設される天板と、前記引出し本体の底部に手前側よりも高い段部を備えたことを特徴とした。こうすることにより、背の高さの違う収納物を効率よく、整理して収納することを可能とした。
【０００６】
また、請求項２記載の発明によれば、コーナー部に配置される、引出し本体を備えたコーナー用キャビネットにおいて、前記引出し本体が引出される方向に延設される天板と、前記引出し本体の前板とを備え、前記前板の高さが手前側よりも奥側が高い前板を備えることを特徴とした。こうすることにより、背の高さの違う収納物を効率よく、整理して収納することを可能とした。
【０００７】
また、請求項３記載の発明によれば、コーナー部に配置される複数の引出し本体を備えたコーナー用キャビネットにおいて、前記引出し本体が引出される方向に延設される天板と、前記引出し本体の底部に手前側よりも高い段部を備えた上部引出しと、前記引出し本体の前板とを備え、前記前板の高さが手前側よりも奥側が高い前板を備える下部引出しとを備えることを特徴とした。こうすることにより、背の高さの違う収納物を効率よく、整理して収納することを可能とした。
【０００８】
また、請求項４記載の発明によれば、請求項１乃至３いずれか１項に記載のコーナー用キャビネットと、前記コーナー用キャビネットの引出し本体が収納される収納部に隣接する第２キャビネットを備えることを特徴とするキャビネットユニットとした。こうすることにより、背の高さの違う収納物を効率よく、整理して収納できるキャビネットユニットを可能とした。
【発明の効果】
【０００９】
本発明によれば、コーナー用キャビネットの引出しの収納において、とくに背の高い収納物を効率よく整理して収納できるという効果がある。
【実施例】
【００１０】
本発明の第１実施例によるコーナー用キャビネットを図１を参照して具体的に説明する。なお、ここで白抜き矢印の向いている方向を奥側と表現する。本発明のコーナー用キャビネット１は、天板１ａと側板１ｂおよび奥側の裏板１ｃで構成されている。コーナー用キャビネット１の左半分の前面を化粧板１ｄで閉塞している。化粧板１ｄの幅をＬ１とすると、前記天板１ａの幅は化粧板１ｄの幅Ｌ１よりＬ２分、延接されている。コーナー用キャビネット１で、化粧板１ｄで閉塞された奥側の空間を収納部１７と呼び、残りの手前方向が開放された空間をオープン部２と呼ぶことにする（図８に平面図を示す。）。前記収納部１７の内部に第１引出し３と第２引出し４が上下２段に設置されている。第１引出し３と第２引出し４は、化粧板１ｄと裏板１ｃに引出しの外側レールが支持されており、第１引出し３と第２引出し４はオープン部２に向け、右方向に引出されることになる。
【００１１】
図２には第１実施例の第１引出し３を示す。第１引出し３は引出し側板３ｂ、３ｃ、前板３ａ、後向う板３ｄ、第１引出し底板３ｆ、第２引出し底板３ｇで構成される。第１引出し底板３ｆより、第２引出し底板３ｇを高い位置に設置しており、奥側に向け一段上がった段部として第２引出し底板３ｇが構成されている。手前側の引出し側板３ｂと奥側の引出し側板３ｃとでは奥側の引き出し側板３ｃの方が位置が高くなる。前板３ａと後向う板３ｄは下辺が引出し底板３ｆの形状に合わせ、奥側の方が高くなるよう段差をつけてある。
【００１２】
図３に第２引出し４の詳細を示す。第２引出し４は前板４ａ、後向う板４ｄ、引出し側板４ｂ、４ｃ、引出し底板４ｆで構成される。引出し前板４ａは上辺が奥側に向けて高くなるように段差がつけられている。引出し前板４ａの奥側の高さは第２引出し４の奥側に一升瓶を置いた場合でも、一升瓶が前板４ａに隠れるような高さに設定されている。第１実施例では収納部１７の上部に第１引出し３を、下部に第２引出し４を備えている。
【００１３】
なお、ここで本第１実施例では、化粧板１ｄに隣接して、第２キャビネットであるシンクキャビネット７が横付けされるように設置される。シンクキャビネット７の上部にはシンクを備えたカウンター６が設置されている。化粧板１ｄの幅Ｌ１はカウンター６の寸法Ｌ３より若干大きく設定されている。すなわち、図１全体ではキャビネットユニットとして構成されている。
【００１４】
図１〜３を使い、実際の収納作業について説明する。調理者は下ごしらえの際、シンク、あるいはカウンター６の作業スペース６ｂで作業を行う。オーブンレンジ、炊飯器、ポット、ミキサーなどの家電品は作業中に近くにあると非常に使い勝手が良いが、カウンターの作業スペース６ｂに置いてしまうと作業スペースが狭くなってしまう。そこで、前記家電品をコーナー用キャビネット１の天板１ａ上に設置すると、調理者の近くに設置することができ、また作業スペースを犠牲にすることがない。特に本実施例では天板１ａが延設されており、好都合である。
【００１５】
また、下ごしらえの際、調味料などは調理者の近くにあると効率がよいが、調味料をコーナー用キャビネット１の第１引出し３および第２引出し４に収納すると、調理者の近くに置くことができ、また、第１引出し３および第２引出しは引出したままにしておいても作業の邪魔にならないというメリットもある。
【００１６】
第１引出し３に収納物を収納する場合、手前側には背の高い収納物、例えば醤油のビンなどを収納し、また奥側には背の低い収納物、例えば缶、タッパウェアなどを収納することになり、おのずと収納物を整理して収納することができ、背の高い収納物も効率よく収納することができる。なお、段部である第２引出し底板３ｇに収納された収納物を出し入れする際は、手前に並べて収納されている醤油のビンなどの上部のすき間を通して行うことができるので、手前の収納物を移動させる必要がない。
【００１７】
第２引出し４に収納物を収納する場合、第２引出し４の奥側には一升瓶などの背の高い収納物を収納し、手前は、上部に設置される第１引出し３の前板下辺３ｈと干渉しない、比較的背の低い収納物を収納することになる。よって第２引出しにおいてもおのずと収納物が整理して置かれることとなる。また、奥の収納物を出し入れするには、奥側に置かれた一升瓶などは、手前の収納物に対し、上半分以上が出ているため、一升瓶の上部を持ち上げることにより、手前の収納物を移動させることなく一升瓶を取り出すことができる。一升瓶はキッチンでの収納に困るもののひとつで、キッチン本体側の引出しやコーナーキャビネットの引出しにはこれまで収納することができなかったが、本実施例においては一升瓶を効率よく収納することができる。
【００１８】
図４に第２実施例を示す。第２実施例では第１実施例の第１引出し３を収納部１７の上部に設置している。第１引出し３の下部もオープンになるため、コーナー用キャビネット８の床部８ａに長尺の収納物をコーナーキャビネットの左右方向に向けて置くことができる。第２実施例のコーナー用キャビネット８に横付けされるように設置される第２キャビネットを３段の引出しキャビネット１０としている。図４全体ではキャビネットユニットとして構成されている。
【００１９】
図５に第３実施例を示す。第３実施例では第１実施例の第２引出し４を収納部１７の下部に設置している。第３実施例のコーナー用キャビネット１１に横付けされるように設置される第２キャビネットをコンロ用のキャビネット１３としている。図５全体ではキャビネットユニットとして構成されている。
【００２０】
図６に第１実施例の変形例を示す。この変形例ではオープン部の上部に一段引出し１４ａを設けている。一段引出し１４ａは手前方向に引出すことができる。一段引出し１４ａは第１引出し３と干渉しない設計となっている。一段引出し１４ａにはカトラリーなどを収納するのに適している。図６全体ではキャビネットユニットとして構成されている。
【００２１】
また、オープン部２はゴミ箱１６などを置いても良い。ゴミ箱１６はキャスターなど移動手段の付いたものとしておき、調理作業中はゴミ箱を引出して調理者のそばに移動させておけばゴミ箱も使いやすくなり、また、第１引出し３と第２引出し４を問題なく使用することができる。
【００２２】
引出しに取り付ける付属品について、図２、３および７を用いてさらに説明をする。図２に示すように第１引出し３で説明すると、前板３ａから後向う板３ｄにバー３ｅが取り付けられる。バー３ｅは引出しの剛性を上げる効果があり、また仕切り５を任意の位置に取り付けることができる。第１引出しの手前側は醤油などのビンを並べるが、この仕切りはそれらを効率よく仕切るとともに、引出しを引出した際に、ビン同士が当たるのを防ぐ効果がある。  また、第２引出しにおいても、図３に示すように。、引出し前板４ａから後向う板４ｄにバー４ｅが取り付けられ、仕切り５がバー４ｅに取り付けられている。仕切り５により、一升瓶同士が接触することを防ぐことができる。
【００２３】
仕切り５の詳細を図４に示す。仕切り５は断面Ｃ字型をしたクリップ部５ａをもち、バー３ｅにクリップ部５ａをはめ込むことで固定をする。仕切り５はバー３ｅの任意の位置に取り付けることでき、また仕切り５は複数個取り付けることができる。
【図面の簡単な説明】
【００２４】
【図１】本発明の第１実施例を示す斜視図である。
【図２】本発明の第１実施例の第１引出しの詳細を示す斜視図である。
【図３】本発明の第１実施例の第２引出しの詳細を示す斜視図である。
【図４】本発明の第２実施例を示す斜視図である。
【図５】本発明の第３実施例を示す斜視図である。
【図６】本発明の第１実施例の変形例を示す斜視図である。
【図７】本発明の仕切りの詳細を示す斜視図である。
【図８】本発明の第１実施例を示す平面図である。
【符号の説明】
【００２５】
１  コーナー用キャビネット
１ａ  天板
１ｂ  側板
１ｃ  裏板
１ｄ  化粧板
２  オープン部
３  第１引出し
３ａ  前板
３ｂ  引出し側板
３ｃ  引出し側板
３ｄ  後向う板
３ｅ  バー
３ｆ  第１底板
３ｇ  第２底板
３ｈ  前板底辺
４  第２引出し
４ａ  前板
４ｂ  側板
４ｃ  側板
４ｄ  後向う板
４ｅ  バー
４ｆ  底板
５  仕切り
５ａ  クリップ部
６  キッチン部
６ａ  カウンター
６ｂ  作業スペース
７  シンクキャビネット
８  コーナー用キャビネット
８ａ  床部
９  キッチン部
１０  ３段引出しキャビネット
１１  コーナー用キャビネット
１２  キッチン部
１３  コンロ用キャビネット
１４  コーナー用キャビネット
１４ａ  一段引出し
１６  ゴミ箱
１７  収納部
【図１】
0004636437.tif 000002
【図２】
0004636437.tif 000003
【図３】
0004636437.tif 000004
【図４】
0004636437.tif 000005
【図５】
0004636437.tif 000006
【図６】
0004636437.tif 000007
【図７】
0004636437.tif 000008
【図８】
0004636437.tif 000009